(57)【要約】      （修正有）【課題】１つの画面を用いて複数のアプリケーションが同時に実行される場合でも、アプリケーションの選択および切り替えの操作を容易に行えるようにする。【解決手段】ナビゲーション装置は、運転席用アプリを実行する第１実行部および助手席用アプリを実行する第２実行部と、タッチパネルを有する表示部５を備える。表示部５には、ユーザがアプリケーションを選択するための複数のアイコン、および、ユーザが複数のアイコンの機能を切り替えるためのタブが表示される。タブの操作によって、複数のアイコンが、運転席用アプリとして実行するアプリケーションの選択手段として機能するか、助手席用アプリとして実行するアプリケーションの選択手段として機能するかが切り替わる。【選択図】図６
2015022604.tif 000002
【特許請求の範囲】
【請求項１】
互いに独立してアプリケーションを実行可能な第１実行部および第２実行部と、
タッチパネルを有する表示部の画面に、ユーザがアプリケーションを選択するための複数のアイコン、および、ユーザが前記複数のアイコンの機能を切り替えるためのタブを表示させる制御部とを備え、
前記タブの操作によって、前記複数のアイコンが、前記第１実行部に実行させるアプリケーションを選択するための第１選択手段として機能するか、前記第２実行部に実行させるアプリケーションを選択するための第２選択手段として機能するかが切り替わる
ことを特徴とする情報表示制御装置。
【請求項２】
前記タブは前記画面上に一組設けられており、前記タブの操作によって前記複数のアイコンの機能が切り替わる
請求項１記載の情報表示制御装置。
【請求項３】
前記タブは前記複数のアイコンのそれぞれに設けられており、前記タブの操作によって個々のアイコンの機能が切り替わる
請求項１記載の情報表示制御装置。
【請求項４】
アイコンの機能が切り替わると、当該アイコンまたはその背景の表示態様が変化する
請求項１から請求項３のいずれか一項記載の情報表示制御装置。
【請求項５】
アイコンの機能が切り替わると、当該アイコンを操作したときの操作音が変化する
請求項１から請求項４のいずれか一項記載の情報表示制御装置。
【請求項６】
前記制御部は、実行中のアプリケーションに対応するアイコンを他のアイコンとは異なる表示態様にする
請求項１から請求項５のいずれか一項記載の情報表示制御装置。
【請求項７】
前記制御部は、前記実行中のアプリケーションに対応するアイコンの表示態様を、当該アプリケーションの動作状態に応じて変化させる
請求項６記載の情報表示制御装置。
【請求項８】
前記情報表示制御装置は車両に搭載可能であり、
前記第１実行部は、前記車両の運転席向けにアプリケーションを実行し、
前記第２実行部は、前記車両の助手席向けにアプリケーションを実行する
請求項１から請求項７のいずれか一項記載の情報表示制御装置。
【発明の詳細な説明】
【技術分野】
【０００１】
本発明は複数のアプリケーションを同時に実行可能な情報表示制御装置に関する。
【背景技術】
【０００２】
複数のアプリケーション（「アプリ」と略すこともある）を同時に実行可能な情報表示制御装置は広く知られている。その一例として、運転者と同乗者が別々のアプリケーションを実行させることのできるカーナビゲーション装置がある。また、そのようなカーナビゲーション装置としては、運転席と助手席からそれぞれ異なる画像が見えるスプリットビューモニタを用い、運転席からは運転者が起動させたアプリケーションの実行画面の画像が見え、助手席からは同乗者が起動させたアプリケーションの実行画面の画像が見えるように構成されたものがある（例えば下記の特許文献１）。
【先行技術文献】
【特許文献】
【０００３】
【特許文献１】特開２００６−３２１４７４号公報
【発明の概要】
【発明が解決しようとする課題】
【０００４】
カーナビゲーション装置などの情報表示制御装置の表示部としてスプリットビューモニタを用いるとコストの上昇を伴う。また、１つの画面に複数のアプリケーションの画面を表示させることも考えられるが、アプリケーションの選択および切り替えの操作をいかにして容易に行えるようにするかという課題がある。
【０００５】
本発明は以上のような課題を解決するためになされたものであり、１つの画面を用いて複数のアプリケーションが同時に実行される場合でも、アプリケーションの選択および切り替えの操作を容易に行うことが可能な情報表示制御装置を提供することを目的とする。
【課題を解決するための手段】
【０００６】
本発明に係る情報表示制御装置は、互いに独立してアプリケーションを実行可能な第１実行部および第２実行部と、タッチパネルを有する表示部の画面に、ユーザがアプリケーションを選択するための複数のアイコン、および、ユーザが複数のアイコンの機能を切り替えるためのタブを表示させる制御部とを備え、タブの操作によって、複数のアイコンが、第１実行部に実行させるアプリケーションを選択するための第１選択手段として機能するか、第２実行部に実行させるアプリケーションを選択するための第２選択手段として機能するかが切り替わる。
【発明の効果】
【０００７】
本発明によれば、同じアイコンが第１選択手段としても第２選択手段としても機能し、その機能の切り替えはタブを用いた簡単な操作により行うことができるため、ユーザは、第１実行部および第２実行部によって同時に実行されるアプリケーションの選択および切り替えを容易に行うことができる。
【図面の簡単な説明】
【０００８】
【図１】実施の形態１に係るナビゲーション装置の構成を示すブロック図である。
【図２】実施の形態１に係るナビゲーション装置におけるＡＶアプリの実行モードの切り替え処理を示すフローチャートである。
【図３】ナビゲーション装置起動時の初期画面の一例を示す図である。
【図４】通常実行モードにおけるＡＶアプリ選択画面の例を示す図である。
【図５】実施の形態１に係るナビゲーション装置におけるデュアル実行モードでのＡＶアプリ選択処理を示すフローチャートである。
【図６】実施の形態１におけるデュアル実行モードでのＡＶアプリ選択画面の例を示す図である。
【図７】実施の形態１におけるデュアル実行モードでのＡＶアプリ選択画面の例を示す図である。
【図８】実施の形態１におけるデュアル実行モードでのＡＶアプリ実行画面のレイアウトの例を示す図である。
【図９】実施の形態１におけるデュアル実行モードでのＡＶアプリ実行画面のレイアウトの例を示す図である。
【図１０】実施の形態１におけるデュアル実行モードでのＡＶアプリ選択画面の例を示す図である。
【図１１】実施の形態１におけるデュアル実行モードでのＡＶアプリ選択画面の例を示す図である。
【図１２】実施の形態１におけるデュアル実行モードでのＡＶアプリ選択画面の例を示す図である。
【図１３】実施の形態１におけるデュアル実行モードでのＡＶアプリ選択画面の例を示す図である。
【図１４】実施の形態１におけるデュアル実行モードでのＡＶアプリ選択画面の例を示す図である。
【図１５】実施の形態２におけるデュアル実行モードでのＡＶアプリ選択画面の例を示す図である。
【図１６】実施の形態２におけるデュアル実行モードでのＡＶアプリ選択画面の例を示す図である。
【図１７】実施の形態２におけるデュアル実行モードでのＡＶアプリ選択画面の例を示す図である。
【発明を実施するための形態】
【０００９】
＜実施の形態１＞
図１は、本発明の実施の形態１に係る情報表示制御装置の構成を示すブロック図である。実施の形態１では、情報表示制御装置の例として車両に搭載されたナビゲーション装置を示す。ただし、本発明の適用はナビゲーション装置に限られず、複数のアプリケーションを同時に実行する情報表示制御装置に広く適用可能である。
【００１０】
図１のように、ナビゲーション装置１００は、メインＣＰＵ（Central Processing Unit）１、ハードディスク２、内蔵メモリ３、タッチパネル４、表示部５、アンプ６、スピーカ７、ＧＰＳ（Global Positioning System）受信機８、車速センサ９、ＤＴＶ（デジタルテレビ）受信機１０、ラジオ受信機１１、光ディスクドライブ１２および機器インターフェース（Ｉ／Ｆ）１３を備えている。また、ナビゲーション装置１００には、機器インターフェース１３を介して、外部装置であるメモリオーディオ機器１４、携帯電話１５、ＥＴＣ（Electronic Toll Collection System）機器１６が接続されている。
【００１１】
メインＣＰＵ１は、制御プログラムを実行することによって、ナビゲーション装置１００の各要素の制御を行うと共に、各種のアプリケーションのプログラムを実行する。ハードディスク２は、メインＣＰＵ１が実行するプログラムや、ナビゲーション用のアプリケーションが使用する地図データ等が記録された記録媒体である。内蔵メモリ３は、メインＣＰＵ１がプログラムを実行する際の実行エリアとして利用される。タッチパネル４は、ユーザの操作の受け付ける操作入力部であり、表示部５の画面に配設されている。表示部５は、アプリケーションの実行画面を表示する表示手段であり、例えば液晶表示パネルにより構成される。アンプ６およびスピーカ７は音声の出力手段である。
【００１２】
ＧＰＳ受信機８は、ナビゲーション装置１００を搭載した車両の位置情報を取得する。車速センサ９は、車両の速度に応じた車速パルスを生成する。ＤＴＶ（デジタルテレビ）受信機１０およびラジオ受信機１１は、それぞれテレビ放送およびＡＭ／ＦＭラジオ放送の受信手段である。光ディスクドライブ１２は、ＣＤ（Compact Disc）、ＤＶＤ（Digital Versatile Disc）、ＢＤ（Blu-ray Disc（登録商標））などの再生手段である。
【００１３】
機器インターフェース１３は、外部装置との接続手段である。図１では、機器インターフェース１３に、メモリオーディオ機器１４、携帯電話１５およびＥＴＣ機器１６が接続された例を示している。メインＣＰＵ１は、機器インターフェース１３を介して、メモリオーディオ機器１４、携帯電話１５、ＥＴＣ機器１６を制御すると共に、それらから画像データ、音声データ、課金情報などを取得することができる。
【００１４】
また、上記のタッチパネル４、表示部５、アンプ６、スピーカ７、ＧＰＳ受信機８、車速センサ９、ＤＴＶ受信機１０、ラジオ受信機１１も、ナビゲーション装置１００に外付けされたものであってもよい。
【００１５】
メインＣＰＵ１は、ユーザがタッチパネル４に入力した操作に従って、アプリケーションを切り替えて実行する。その際、アプリケーションの実行画面を表示部５に表示させると共に、アプリケーションの出力音声をアンプ６を介してスピーカ７から出力させる。
【００１６】
例えば、ナビゲーション用アプリが実行される場合、メインＣＰＵ１はハードディスク２からナビゲーション用アプリのプログラムを読み出し、内蔵メモリ３を利用してそのプログラムを実行する。その際、ハードディスク２に記録された地図データ、ＧＰＳ受信機８から取得した位置情報、および車速センサ９から取得した車速パルスに基づき、地図上での車両の現在位置を特定する。そして、地図に車両の現在位置を示すアイコンを重畳させたナビゲーション用アプリの実行画面を、表示部５に表示させる。また、ユーザがタッチパネル４を操作して目的地を設定すると、メインＣＰＵ１は、車両の現在位置から目的地までのルートを探索し、画像および音声によるルート案内を行う。
【００１７】
また、ユーザは、タッチパネル４の操作により、ナビゲーション装置１００が実行するアプリケーションを選択したり切り替えたりすることができる。例えば、ＤＴＶ受信機１０またはラジオ受信機１１が受信した放送を視聴するアプリケーションや、光ディスクドライブ１２に挿入されたＣＤ／ＤＶＤ／ＢＤを再生するアプリケーション、ハードディスク２に記録されている映像／音声データを再生するアプリケーションなどを選択して実行させることができる。以下では、ＤＴＶ受信機１０、ラジオ受信機１１、光ディスクドライブ１２から取得した情報に基づいて映像または音声を出力するこれらのアプリケーションを「ＡＶ（Audio Video）アプリ」という。
【００１８】
実施の形態１のナビゲーション装置１００は、基本動作として、ナビゲーション用アプリを常時実行するものとする。また、ナビゲーション装置１００は、ナビゲーション用アプリと並行して、ハードディスク２、ＤＴＶ受信機１０、ラジオ受信機１１、光ディスクドライブ１２を用いるＡＶアプリを実行することもできる。さらに、ＡＶアプリの実行モードとして、ＡＶアプリを１つずつ切り替えて実行する「通常実行モード」と、複数のＡＶアプリを同時に実行する「デュアル実行モード」の２つの動作モードを有している。
【００１９】
実施の形態１のナビゲーション装置１００では、運転席向けのＡＶアプリ（運転席用アプリ）と助手席向けのＡＶアプリ（助手席用アプリ）が同時に実行可能となっている。ここで、運転席向けのＡＶアプリ（運転席用アプリ）とは、運転者が実行を選択したＡＶアプリであり、助手席向けのＡＶアプリ（助手席用アプリ）とは、助手席の同乗者（以下、単に「同乗者」という）が実行を選択したＡＶアプリである。なお、助手席用アプリにより出力される音声は、スピーカ７とは別に助手席に設けられたヘッドフォン（不図示）などに出力される。
【００２０】
メインＣＰＵ１は、運転席用アプリを実行する第１実行部１ａと、助手席用アプリを実行する第２実行部１ｂとを備えている。第１実行部１ａと第２実行部１ｂは、互いに独立してＡＶアプリを実行可能である。運転席用アプリとして実行されるＡＶアプリおよび助手席用アプリとして実行されるＡＶアプリは、運転者および助手席の同乗者のそれぞれによって選択される。そのため、運転席用アプリと助手席用アプリに、同一のＡＶアプリが選択される場合もある。なお、通常実行モードでは、運転席用アプリのみが、第１実行部１ａによって実行されるものとする。
【００２１】
図１では、第１実行部１ａと第２実行部１ｂとを個別に図示しているが、第１実行部１ａおよび第２実行部１ｂは、単一のコンピュータが運転席用アプリと助手席用アプリを並列処理することで実現される観念的な要素である。
【００２２】
図２は、ナビゲーション装置１００におけるＡＶアプリの実行モードの切り替え処理を示すフローチャートである。ナビゲーション装置１００が起動すると、ナビゲーション装置１００は通常実行モードの状態で、表示部５に初期画面を表示する（ステップＳ１１）。初期画面は、例えば特定のアプリケーションの実行画面である。また、例えば前回の動作終了時に起動していたアプリケーションが、次の起動時に実行され、その実行画面が初期画面となるようにしてもよい（いわゆる「ラストメモリ機能」）。
【００２３】
本実施の形態では、ナビゲーション装置１００の起動時にナビゲーション用アプリが実行され、表示部５には、図３のようにナビゲーション用アプリの実行画面が初期画面として表示されるものとする。また、アプリケーションの実行画面の一部には、ＡＶアプリの選択画面（ＡＶアプリ選択画面）を呼び出すためのアイコン３１（ＡＶアプリ呼び出しアイコン）が表示されている。
【００２４】
通常実行モードでは、ユーザがＡＶアプリ呼び出しアイコン３１にタッチすると、メインＣＰＵ１は表示部５に図４のようなＡＶアプリ選択画面を表示させる。図４のＡＶアプリ選択画面には、ラジオ放送を視聴するＡＶアプリを実行させる「ＡＭ」および「ＦＭ」のアイコンと、ＣＤ／ＤＶＤ／ＢＤを再生するＡＶアプリを実行させる「ＣＤ」および「ＤＶＤ／ＢＤ」のアイコンと、ハードディスク２に記録されている映像／音声データを再生するＡＶアプリを実行させる「ＨＤＤ」のアイコンと、テレビ放送を視聴するＡＶアプリを実行させる「ＤＴＶ」のアイコンとが含まれている。ユーザは、これらのアイコンを操作することで、ナビゲーション装置１００（第１実行部１ａ）に実行させるＡＶアプリを選択できる。
【００２５】
また、ユーザは、ナビゲーション装置１００に対して特定の操作を行うことによって、ナビゲーション装置１００をデュアル実行モードに移行させたり、通常実行モードに戻したりすることができる（図２のステップＳ１２，Ｓ１３）。このＡＶアプリの実行モードの切り替えは、タッチパネル４を用いたアイコン（ソフトキー）の操作によって行われてもよいし、ナビゲーション装置１００の本体に設けられたハードキー（不図示）の操作によって行われてもよい。
【００２６】
図５は、ナビゲーション装置１００におけるデュアル実行モードでのＡＶアプリ選択処理を示すフローチャートである。デュアル実行モードでは、ユーザによりＡＶアプリ選択画面の呼び出し操作（図３のＡＶアプリ呼び出しアイコン３１へのタッチ）が行われると（ステップＳ２１）、メインＣＰＵ１は、表示部５に図６のようなＡＶアプリ選択画面を表示させる（ステップＳ２２）。
【００２７】
デュアル実行モードでのＡＶアプリ選択画面には、通常実行モードの際と同様の「ＡＭ」、「ＦＭ」、「ＣＤ」、「ＤＶＤ／ＢＤ」、「ＨＤＤ」および「ＤＴＶ」の各アイコンに加え、ユーザが各アイコンの機能を切り替えるための「運転席」および「助手席」という一組のタブが含まれている。図６では「運転席」タブが選択された状態を示しているが、ユーザはタッチパネル４を操作して、図７のように「助手席」タブが選択された状態に切り替えることもできる。
【００２８】
図５に戻り、ユーザが「ＡＭ」、「ＦＭ」、「ＣＤ」、「ＤＶＤ／ＢＤ」、「ＨＤＤ」および「ＤＴＶ」のいずれかのアイコンにタッチして、実行するＡＶアプリを選択すると（ステップＳ２３）、メインＣＰＵ１は「運転席」タブと「助手席」タブのどちらが選択されているかを確認する（ステップＳ２４）。
【００２９】
図６のように「運転席」タブが選択されていれば（ステップＳ２４でＹＥＳ）、ステップＳ２３で選択されたＡＶアプリを運転席用アプリとして実行する（ステップＳ２５）。つまり、選択されたＡＶアプリを第１実行部１ａに実行させる。この場合、表示部５には、運転席用アプリの実行画面が表示される。このとき、助手席用アプリも実行中であれば、図８のように助手席用アプリの実行画面も表示部５の一部に表示してもよい。
【００３０】
また図７のように「助手席」タブが選択されていれば（ステップＳ２４でＮＯ）、ステップＳ２３で選択されたＡＶアプリを助手席用アプリとして実行する（ステップＳ２６）つまり、選択されたＡＶアプリを第２実行部１ｂに実行させる。この場合、表示部５には、助手席用アプリの実行画面が表示される。このとき、運転席用アプリも実行中であれば、図９のように、運転席用アプリの実行画面も表示部５の一部に表示してもよい。
【００３１】
つまり、図６のように「運転席」タブが選択された状態のＡＶアプリ選択画面では、各アイコンは、運転席用アプリとして実行するＡＶアプリ（第１実行部１ａに実行させるアプリケーション）を選択するための手段（第１選択手段）として機能する。一方、図７のように「助手席」のタブが選択された状態のＡＶアプリ選択画面では、各アイコンは、助手席用アプリとして実行するＡＶアプリ（第２実行部１ｂに実行させるアプリケーション）を選択するための手段（第２選択手段）として機能する。従って、運転者は、「運転席」タブを選択してからアイコンを操作することによって、運転席用アプリの選択を行うことができる。同乗者は、「助手席」タブを選択してからアイコンを操作することによって、助手席用アプリの選択を行うことができる。
【００３２】
このように、実施の形態１のナビゲーション装置１００では、ＡＶアプリ選択画面の同じアイコンが、運転席用アプリの選択手段としても助手席用アプリの選択手段としても機能し、その機能の切り替えはタブを用いた簡単な操作によって行うことが可能である。よって、ユーザ（運転者及び同乗者）は、運転席用アプリおよび助手席用アプリの選択を容易に行うことができる。
【００３３】
また、図６、図７に示すように、本実施の形態では、「運転席」タブ選択時と「助手席」タブ選択時とで、アイコンの背景の表示態様（色、模様、大きさなどのデザインの他、点滅などの動的な表示態様も含む）を変えている。これにより、ユーザがタブの選択状態を認識し易くなり、誤操作を防止できる。また、「運転席」タブ選択時と「助手席」タブ選択時とで、アイコンの操作音を変えてもよい。これによっても誤操作の防止に寄与できる。
【００３４】
なお、ユーザは、ナビゲーション装置１００を操作することにより、表示部５の画面を、ナビゲーション用アプリの実行画面（図３）、ＡＶアプリ選択画面（図６または図７）およびＡＶアプリ実行画面（図８または図９）に、適宜切り替えることができる。
【００３５】
ＡＶアプリを実行している状態で、表示部５の画面をＡＶアプリ選択画面に移行させた場合は、実行中のＡＶアプリのアイコンを他のアイコンとは異なる表示態様にするとよい。例えば、運転席用アプリとして、ＣＤを再生するＡＶアプリが実行中のときは、図１０のように、「運転席」タブが選択されたときの「ＣＤ」アイコンの表示態様を変化させる。また、助手席用アプリとして、ハードディスク２に記録されている映像／音声データを再生するＡＶアプリが実行中のときは、図１１のように、「助手席」タブが選択されたときの「ＨＤＤ」アイコンの表示態様を変化させる。これにより、ユーザは、ＡＶアプリ選択画面から実行中のＡＶアプリを認識できるようになる。
【００３６】
さらに、実行中のＡＶアプリの動作状態（例えば、再生中、一時停止中など）に応じて、そのアイコンの表示態様を変化させてもよい。例えば、実行中であるが一時停止状態となっているＡＶアプリのアイコンを点滅させることなどが考えられる。
【００３７】
また、図１２のように、ＡＶアプリ選択画面に、実行中のＡＶアプリの動作状況を表示する子画面を設けてもよい。図１２は、図１０および図１１と同様に、運転席用アプリとして、ＣＤを再生するＡＶアプリが実行中であり、助手席用アプリとして、ハードディスク２に記録されている映像／音声データを再生するＡＶアプリが実行中である状態を示している。図１２のように、運転席用アプリと助手席用アプリの両方の子画面を同時に表示させれば、タブを切り替えることなく、運転席用アプリと助手席用アプリの動作状況を知ることができる。また、子画面には、再生中、一時停止中などの基本的な動作状態の他、再生中の曲のタイトルや再生時間などの詳細な動作状態を含ませることができる。
【００３８】
実施の形態１では、図６および図７のように「運転席」タブ選択時と「助手席」タブ選択時とで、ＡＶアプリ選択画面におけるアイコンの背景の表示態様を変化させる例を示したが、図１３および図１４に示すように、アイコンの表示態様を変化させてもよい。
【００３９】
また、本実施の形態では、同時に実行されるＡＶアプリの数を２つとしたが、本発明は、３つ以上のアプリケーションが同時に実行される情報表示制御装置にも適用可能である。その場合は、タブの数を増やせばよい。
【００４０】
＜実施の形態２＞
実施の形態１では、各アイコンの機能を切り替える「運転席」タブおよび「助手席」タブが、ＡＶアプリ選択画面に一組のみ設けられており、それらのタブの操作によってＡＶアプリを選択するための複数のアイコンの機能がまとめて切り替わる例を示した。実施の形態２では、図１５のように、「運転席」タブ（「運」と表示）および「助手席」タブ（「助」と表示）タブを、ＡＶアプリ選択画面上のアイコンのそれぞれに設け、それらのタブの操作によって個々のアイコンの機能が切り替わるようにする。
【００４１】
この場合も、図１６のように実行中のＡＶアプリに対応するアイコンを他のアイコンとは異なる表示態様とするとよい。図１６は、図１０および図１１と同様に、運転席用アプリとして、ＣＤを再生するＡＶアプリが実行中であり、助手席用アプリとして、ハードディスク２に記録されている映像／音声データを再生するＡＶアプリが実行中である状態を示している。
【００４２】
さらに、実行中のＡＶアプリの動作状態に応じて、そのアイコンの表示態様を変化させてもよい。また、図１７のように、ＡＶアプリ選択画面に、実行中のＡＶアプリの動作状況を表示する子画面を設けてもよい。図１７も、運転席用アプリとして、ＣＤを再生するＡＶアプリが実行中であり、助手席用アプリとして、ハードディスク２に記録されている映像／音声データを再生するＡＶアプリが実行中である状態を示している。子画面には、再生中、一時停止中などの基本的な動作状態の他、再生中の曲のタイトルや再生時間などの詳細な動作状態を含ませてもよい。
【００４３】
なお、本発明は、その発明の範囲内において、各実施の形態を自由に組み合わせたり、各実施の形態を適宜、変形、省略することが可能である。
【符号の説明】
【００４４】
１  メインＣＰＵ、１ａ  第１実行部、１ｂ  第２実行部、２  ハードディスク、３  内蔵メモリ、４  タッチパネル、５  表示部、６  アンプ、７  スピーカ、８  ＧＰＳ受信機、９  車速センサ、１０  ＤＴＶ受信機、１１  ラジオ受信機、１２  光ディスクドライブ、１３  機器インターフェース、１４  メモリオーディオ機器、１５  携帯電話、１６  ＥＴＣ機器、１００  ナビゲーション装置。
【図１】
2015022604.tif 000003
【図２】
2015022604.tif 000004
【図３】
2015022604.tif 000005
【図４】
2015022604.tif 000006
【図５】
2015022604.tif 000007
【図６】
2015022604.tif 000008
【図７】
2015022604.tif 000009
【図８】
2015022604.tif 000010
【図９】
2015022604.tif 000011
【図１０】
2015022604.tif 000012
【図１１】
2015022604.tif 000013
【図１２】
2015022604.tif 000014
【図１３】
2015022604.tif 000015
【図１４】
2015022604.tif 000016
【図１５】
2015022604.tif 000017
【図１６】
2015022604.tif 000018
【図１７】
2015022604.tif 000019